(57)【要約】【課題】冷却器の除霜ヒータによる収納室の温度上昇を防止若しくは抑制し、冷却器の除霜性能を改善した冷却庫を提供する。【解決手段】断熱箱体内に構成した収納室に冷却器１２と熱交換した冷気を送風機により循環して冷却する。収納室に連通する冷気吸込口と冷気吐出口を備え、送風機により冷気吸込口から収納室内の冷気を吸引し、冷却器１２と熱交換させた後、冷気吐出口より収納室内に吐出する。冷却器１２を第１の熱交換体３３と、第２の熱交換体３４と、各熱交換体間に挟まれるかたちで設けられた除霜ヒータ３６とから構成し、第１の熱交換体３３を冷気吸込口側に配置した。【選択図】図４
2012072980.tif 000002
【特許請求の範囲】
【請求項１】
断熱箱体内に構成した収納室に冷却器と熱交換した冷気を送風機により循環して冷却する冷却庫において、
前記収納室に連通する冷気吸込口と冷気吐出口を備え、前記送風機により前記冷気吸込口から前記収納室内の冷気を吸引し、前記冷却器と熱交換させた後、前記冷気吐出口より前記収納室内に吐出すると共に、
前記冷却器を第１の熱交換体と、第２の熱交換体と、各熱交換体間に挟まれるかたちで設けられた除霜ヒータとから構成し、前記第１の熱交換体を前記冷気吸込口側に配置したことを特徴とする冷却庫。
【請求項２】
前記冷却器を構成する各熱交換体は、複数枚の熱交換フィンと、該熱交換フィンを貫通する蛇行状の冷媒配管からそれぞれ構成されており、各熱交換体の熱交換フィン間に前記除霜ヒータを挟んだ状態で両側の管板により各熱交換体及び除霜ヒータが一体化されていることを特徴とする請求項１に記載の冷却庫。
【請求項３】
前記断熱箱体の縦方向の内壁と間隔を存して設けられた仕切板と、該仕切板と前記断熱箱体間に構成された冷却室とを備え、
前記仕切板の内方が前記収納室とされ、前記冷却室内に前記冷却器が設置され、該冷却器の下方における前記冷却室内に前記送風機が設置されると共に、
前記冷却器と対応する位置の前記仕切板に前記冷気吸込口を形成し、前記送風機に対応する位置の前記仕切板に前記冷気吐出口を形成したことを特徴とする請求項１又は請求項２に記載の冷却庫。
【請求項４】
前記冷却器は前記断熱箱体の鉛直方向略中央に位置して設けられ、該冷却器の上方における前記冷却室内にも送風機が設けられ、該送風機に対応する位置の前記仕切板にも冷気吐出口が形成されていることを特徴とする請求項３に記載の冷却庫。
【請求項５】
前記収納室は前面が開口しており、該開口は扉にて開閉自在に閉塞され、前記仕切板は前記断熱箱体の一側の内壁と間隔を存して設けられていることを特徴とする請求項３又は請求項４に記載の冷却庫。
【請求項６】
前記収納室内に蓄冷剤を収納し、前記冷却器と熱交換した冷気を前記収納室内に循環させることにより、前記蓄冷剤を凍結させることを特徴とする請求項１乃至請求項５のうちの何れかに記載の冷却庫。
【発明の詳細な説明】
【技術分野】
【０００１】
本発明は、断熱箱体内に構成した収納室に冷却器と熱交換した冷気を送風機により循環して冷却する冷却庫に関するものである。
【背景技術】
【０００２】
従来より、食品等の要保冷物品の輸送時の冷却、保冷には、蓄冷剤が用いられているが、使用する際には、蓄冷剤を凍結する必要がある。そこで、例えば特許文献１に示すように複数の蓄冷剤を収納室内に収納可能な冷却庫（急速凍結庫）を用い、収納室内に冷却器と熱交換した冷気を送風機によって循環することにより、蓄冷剤を凍結温度にまで冷却していた。
【０００３】
特許文献１では、収納室が前面に開口している関係上、断熱箱体の一側の内壁と間隔を存して仕切板が設けられ、この仕切板の内方が収納室とされ、仕切板と断熱箱体間が冷却室とされてそこに冷却器とその上下に送風機を設置している。そして、冷却器に対応する位置の仕切板に冷気吸込口を、各送風機に対応する位置に冷気吐出口をそれぞれ形成することにより、送風機から吐出された冷気が収納室の前面開口から直接流出してしまう不都合を回避し、蓄冷剤の凍結能力を改善する工夫が成されていた。
【０００４】
また、特許文献１には示されていないが、冷却器には冷気中の水分が霜となって付着するため、冷却器には着霜を融解するための除霜ヒータ（電気ヒータ）が設けられる。そして、冷却器の下方には、除霜の際に冷却器から滴下するドレン水を受容するためのドレン受けが設けられていた。
【先行技術文献】
【特許文献】
【０００５】
【特許文献１】特開２０００−１４６３９０号公報
【発明の概要】
【発明が解決しようとする課題】
【０００６】
ここで、従来一般的には除霜ヒータは冷却器における冷気の流入側に取り付けられる。そのため、前記特許文献１のような構造では、従来では冷気吸込口が形成された仕切板に当接若しくは近接する冷却器の面に除霜ヒータが取り付けられていた。そのため、除霜ヒータの熱が冷気吸込口から収納室内に流入し、温度上昇させてしまう。また、それにより、冷却器を加熱する能力も削がれるために、除霜性能も悪化してしまう問題があった。
【０００７】
本発明は係る従来の技術的課題を解決するために成されたものであり、冷却器の除霜ヒータによる収納室の温度上昇を防止若しくは抑制し、冷却器の除霜性能を改善した冷却庫を提供することを目的とするものである。
【課題を解決するための手段】
【０００８】
本発明の冷却庫は、断熱箱体内に構成した収納室に冷却器と熱交換した冷気を送風機により循環して冷却するものであって、収納室に連通する冷気吸込口と冷気吐出口を備え、送風機により冷気吸込口から収納室内の冷気を吸引し、冷却器と熱交換させた後、冷気吐出口より収納室内に吐出すると共に、冷却器を第１の熱交換体と、第２の熱交換体と、各熱交換体間に挟まれるかたちで設けられた除霜ヒータとから構成し、第１の熱交換体を冷気吸込口側に配置したことを特徴とする。
【０００９】
請求項２の発明の冷却庫は、上記において冷却器を構成する各熱交換体は、複数枚の熱交換フィンと、この熱交換フィンを貫通する蛇行状の冷媒配管からそれぞれ構成されており、各熱交換体の熱交換フィン間に除霜ヒータを挟んだ状態で両側の管板により各熱交換体及び除霜ヒータが一体化されていることを特徴とする。
【００１０】
請求項３の発明の冷却庫は、上記各発明において断熱箱体の縦方向の内壁と間隔を存して設けられた仕切板と、この仕切板と断熱箱体間に構成された冷却室とを備え、仕切板の内方が収納室とされ、冷却室内に冷却器が設置され、この冷却器の下方における冷却室内に送風機が設置されると共に、冷却器と対応する位置の仕切板に冷気吸込口を形成し、送風機に対応する位置の仕切板に冷気吐出口を形成したことを特徴とする。
【００１１】
請求項４の発明の冷却庫は、上記において冷却器は断熱箱体の鉛直方向略中央に位置して設けられ、この冷却器の上方における冷却室内にも送風機が設けられ、この送風機に対応する位置の仕切板にも冷気吐出口が形成されていることを特徴とする。
【００１２】
請求項５の発明の冷却庫は、請求項３又は請求項４において収納室は前面が開口しており、この開口は扉にて開閉自在に閉塞され、仕切板は断熱箱体の一側の内壁と間隔を存して設けられていることを特徴とする。
【００１３】
請求項６の発明の冷却庫は、上記各発明において収納室内に蓄冷剤を収納し、冷却器と熱交換した冷気を収納室内に循環させることにより、蓄冷剤を凍結させることを特徴とする。
【発明の効果】
【００１４】
本発明によれば、断熱箱体内に構成した収納室に冷却器と熱交換した冷気を送風機により循環して冷却する冷却庫において、収納室に連通する冷気吸込口と冷気吐出口を備え、送風機により冷気吸込口から収納室内の冷気を吸引し、冷却器と熱交換させた後、冷気吐出口より収納室内に吐出すると共に、冷却器を第１の熱交換体と、第２の熱交換体と、各熱交換体間に挟まれるかたちで設けられた除霜ヒータとから構成し、第１の熱交換体を冷気吸込口側に配置したので、冷却器の除霜時には除霜ヒータにより冷却器全体を内側から効果的に加熱することができるようになる。また、冷気吸込口から収納室側に流入する熱も抑制されるので、冷却器の除霜ヒータによる収納室の温度上昇も防止若しくは抑制することができるようになる。
【００１５】
また、第１及び第２の熱交換体を準備し、これらにより除霜ヒータを挟んだかたちで冷却器を構成しているので、単体の冷却器内に除霜ヒータを挿通する場合に比して、冷却器自体の構造が簡素化され、組立作業性も著しく向上する。
【００１６】
この場合、請求項２の発明の如く冷却器を構成する各熱交換体を、複数枚の熱交換フィンと、この熱交換フィンを貫通する蛇行状の冷媒配管からそれぞれ構成し、各熱交換体の熱交換フィン間に除霜ヒータを挟んだ状態で両側の管板により各熱交換体及び除霜ヒータを一体化するようにすれば、冷却器の生産性は更に向上する。
【００１７】
特に、請求項３の発明の如く断熱箱体の縦方向の内壁と間隔を存して設けられた仕切板と、この仕切板と断熱箱体間に構成された冷却室とを備え、仕切板の内方を収納室とし、冷却室内に冷却器を設置し、この冷却器の下方における冷却室内に送風機を設置すると共に、冷却器と対応する位置の仕切板に冷気吸込口を形成し、送風機に対応する位置の仕切板に冷気吐出口を形成した冷却庫においては、除霜ヒータが収納室に及ぼす悪影響の改善に本発明は著しい効果を発揮する。
【００１８】
更に請求項４の発明の如く冷却器が断熱箱体の鉛直方向略中央に位置して設けられ、この冷却器の上方における冷却室内にも送風機が設けられ、この送風機に対応する位置の仕切板にも冷気吐出口が形成されている冷却庫によれば、収納室内における冷気の循環性能が著しく向上する。
【００１９】
この場合、請求項５の発明の如く収納室の前面が開口しており、この開口が扉にて開閉自在に閉塞されるものでは、仕切板を断熱箱体の一側の内壁と間隔を存して設けることで、開口からの冷気の流出を効果的に抑制し、請求項６の如く収納室内に蓄冷剤を収納し、冷却器と熱交換した冷気を収納室内に循環させることにより、蓄冷剤を凍結させる冷却庫においては、冷却性能の向上と除霜ヒータによる悪影響の防止によって著しい性能の改善を図ることが可能となるものである。
【図面の簡単な説明】
【００２０】
【図１】本発明を適用した冷却庫の一実施例としての急速凍結冷却庫の扉を取り外した状態の斜視図である。
【図２】図１の急速凍結庫の概略正面図である。
【図３】図１の急速凍結庫の冷却器の側面図である。
【図４】図３の冷却器の管板を除いた側面図である。
【図５】図２の急速凍結庫のドレン受けの斜視図である。
【発明を実施するための形態】
【００２１】
以下、図面に基づき本発明の実施形態を説明する。図１は本発明に係る冷却庫の一実施例としての急速凍結庫（蓄冷剤凍結庫）Ｒの扉を取り外した状態の斜視図、図２は図１の急速凍結庫Ｒの概略正面図をそれぞれ示している。
【００２２】
本実施例において採用される急速凍結庫Ｒは、収納室３内に収納された蓄冷剤２６を急速に凍結する冷却庫であり、例えば、食品等の要冷却物品の配送ベースなどに設置される。この急速凍結庫Ｒは、前面に開口する断熱箱体２により本体が構成されており、当該断熱箱体２内が前面に開口した収納室３としている。この断熱箱体２の前面開口５は、図示しない扉にて開閉自在に閉塞される。
【００２３】
断熱箱体２の一側（正面に向かって右側）の縦方向の内壁６には、所定間隔を存して仕切板８が設けられており、この仕切板８の内方（向かって左方）の断熱箱体２内が収納室３とされている。一方、仕切板８と一側の内壁６との間には、収納室８の向かって右側において上下に延在する冷却室７が構成される。この冷却室７内には、断熱箱体２の鉛直方向略中央に位置して冷却装置１０を構成する冷却器１２が配設されている。この冷却器１２の詳細構造については後述する。
【００２４】
冷却器１２の上方には、冷却室７内の冷気を収納室３内に吐出する冷気循環用の上部送風機１３が配設されており、冷却器１２の下方には、同じく冷却室７内の冷気を収納室３内に吐出する冷気循環用の下部送風機１４が配設されている。そして、この仕切板８には、冷却器１２に対応する位置に複数の冷気吸込口２０が形成されていると共に、上部送風機１３に対応する位置に複数の上冷気吐出口２１が、下部送風機１４に対応する位置に複数の下冷気吐出口２２が形成されている。これら冷気吐出口２１、２２は、図示しないファンガードにて覆われている。
【００２５】
また、冷却器１２の下方の冷却室７内には、冷却器１２からのドレン水を受容するためのドレン受け３１が設けられ、冷却器１２の下側に対応している。従って、下部送風機１４はこのドレン受け３１の下方における冷却室７内に設けられたかたちとなる。このドレン受け３１の詳細構造についても後述する。
【００２６】
一方、収納室３を構成する仕切板８の収納室３側の面及び当該仕切板８が設けられていない側の断熱箱体２の縦方向の内壁９には、前後に位置して棚支柱２４が上下方向に渡って設けられている（図１にて前一側の棚支柱２４のみ図示する）。これら棚支柱２４には、それぞれ上下に渡って複数の係合孔が穿設されており、これら棚支柱２４に網棚２５が収納室３の上下に複数段架設される。そして、各網棚２５には複数の蓄冷剤２６が収納された蓄冷剤凍結用ラック３０が載置される。
【００２７】
他方、断熱箱体２の天面には、前面、後面、両側面をそれぞれ囲繞するパネル１５によって機械室１６が画成されている。この機械室１６内には、圧縮機１７、凝縮器１８（図２のみ図示する）などが設置され、前記冷却器１２と共に冷却装置１０の周知の冷媒回路を構成している。尚、当該機械室１６内には、これ以外にも図示しない凝縮器用送風機や電装箱等も配設されている。
【００２８】
冷却装置１０及び各送風機１３、１４が運転されると、冷却室７内にて冷却器１２と熱交換した冷気は、上部送風機１３及び下部送風機１４によって冷却器７の上方、及び、下方に流出し、仕切板８に形成されたそれぞれの冷気吐出口２１、２２より収納室３内に吐出される。冷却室７から吐出された冷気は、収納室３内を循環した後、断熱箱体２の鉛直方向略中央に位置して形成された冷気吸込口２０より冷却室７内に帰還し、冷却器１２に流入する。これにより、冷却室７にて冷却された冷気が収納室３内を強制循環される。
【００２９】
この場合、冷気吸込口２０付近には、収納室３内の温度（庫内温度）を検出する温度センサ２３が設けられており、当該温度センサ２３の検出に基づき冷却装置１０及び各送風機１３、１４が運転制御されることにより、収納室３内は所定の設定温度、例えば−２０℃などの冷凍温度に冷却される。これにより、各ラック３０に収納された蓄冷剤２６を凍結させるものである。
【００３０】
次に、図３及び図４を参照しながら冷却器１２の構造について説明する。図３は冷却器１２の側面（急速凍結庫Ｒを正面から見た場合の背面側）図、図４は管板３２を除いた状態の冷却器１２の側面図をそれぞれ示している。冷却器１２は第１の熱交換体３３、第２の熱交換体３４、除霜ヒータ（シーズヒータ）３６、及び、両側の管板３２、３２から成るフィンチューブタイプの熱交換器である。
【００３１】
第１及び第２の熱交換体３３、３４は、何れも上下に長い長方形の複数枚の熱交換フィン３７と、各熱交換フィン３７を貫通する蛇行状の冷媒配管３８とから構成されており、第１の熱交換体３３の熱交換フィン３７と、第２の熱交換体３４の熱交換フィン３７との間に、それらの当接するかたちで前記除霜ヒータ３６を挟んだ状態で、両側の管板３２、３２により各冷媒配管３８と除霜ヒータ３６の両側のベンド部が保持される。これにより、各熱交換体３３、３４及び除霜ヒータ３６は一体化されて冷却器１２が構成されている。
【００３２】
尚、各熱交換体３３、３４は冷媒の流れに対して並列、若しくは、直列に接続されている。また、冷却器１２は第１の熱交換体３３が仕切板８の冷気吸込口２０側とされた状態で冷却室７内に配置される。このとき、第１の熱交換体３３の各熱交換フィン３７の長辺のうちの外側の辺（第２の熱交換体３４とは反対側の辺）が、仕切板８の冷却室７側の面に当接若しくは近接して冷気吸込口２０に対応したかたちとなり、上下の短辺が各送風機１３、１４方向に指向したかたちとなる。また、冷却器１２の第２の熱交換体３４の各熱交換フィン３７の長辺のうちの外側の辺（第１の熱交換体３３とは反対側の辺）と断熱箱体２間には所定の間隔が構成されている。
【００３３】
次に、図５を参照しながら前記ドレン受け３１の構造について説明する。ドレン受け３１は図５に示す如き上面に開口した横長（急速凍結庫Ｒの正面から見た場合には前後方向に長い）の箱状を呈しており、一側（急速凍結庫Ｒにおける奥側）に低く傾斜したドレン受け面４１と、このドレン受け面４１の最も低くなる側に連結されたドレンソケット４２を有している。
【００３４】
また、ドレン受け３１の短辺側の幅寸法（急速凍結庫Ｒの正面から見た場合の左右幅寸法）は冷却器１２の下側の冷気流出側である下面の寸法より小さくされており、長辺側の両端（急速凍結庫Ｒの正面から見た場合の前後端）が断熱箱体２に固定され、ドレンソケット４２に図示しないドレンホースが接続されて、ドレン受け３１は冷却器１２下方の冷却室７内に取り付けられている。
【００３５】
この場合、ドレン受け３１の長辺側の一辺（図５の手前側の辺。急速凍結庫Ｒを正面から見た場合の向かって左側。仕切板８側の辺）は、上方の冷却器１２の仕切板８側の面と略面一となるように仕切板８に当接若しくは近接して設けられている。従って、反対側の長辺（急速凍結庫Ｒを正面から見た場合の向かって右側。断熱箱体２側の辺）は、冷却器１２の下面よりも内側に位置することになる（図２）。
【００３６】
これでは冷却器１２から滴下するドレン水を受けきれなくなるので、ドレン受け３１の仕切板８とは反対側の長辺上端部には、冷却器１２の幅（急速凍結庫Ｒを正面から見た場合の前後幅）以上の幅寸法を有した案内板４３が取り付けられる。この案内板４３の下部には、両側（急速凍結後Ｒにおける前後側）の垂直な取付部４４、４４を除いて矩形状の切欠４６が形成されており、取付部４４、４４をドレン受け３１にネジ止めした状態で、切欠４６の上縁はドレン受け３１の上縁より上方にあり、この切欠４６内に冷気流通部４７が構成される。
【００３７】
この案内板４３の上部にはドレン案内面４８が構成されている。このドレン案内面４８は、ドレン受け３１から離間する方向（仕切板８から離間して断熱箱体２に近づく方向）に傾斜しながら上昇し、その上端は冷却器１２下面の断熱箱体２側の隅角部に当接若しくは近接する。そして、このドレン案内面４８の下端とドレン受け３１間に前記冷気流通部４７が構成されたかたちとされている。
【００３８】
以上の構成で、ドレン受け３１下方の下部送風機１４が運転されると、吸引されて冷却器１２から下方に流出する冷気は、図２に矢印で示すようにドレン受け３１に取り付けられた案内板４３の冷気流通部４７内を通過し、下部送風機１４に吸引されることになる。
【００３９】
また、上述の如き冷却器１２による冷却運転で冷却器１２には着霜が成長するので、定期的に除霜ヒータ３８に通電し、発熱させて冷却器１２の着霜を除去する除霜運転が行われる。その際、圧縮機１７及び各送風機１３、１４は停止される。除霜ヒータ３８からの熱は冷却器１２の各熱交換体３３、３４の熱交換フィン３７を伝わり、或いは、着霜に直接作用して冷却器１２自体及び着霜を加熱し、着霜を融解させる。このとき、除霜ヒータ３８は各熱交換体３３、３４に挟まれたかたちで冷却器１２内に設けられているので、冷却器１２全体を内側から効果的に加熱する。また、冷気吸込口２０から収納室３側に流入する熱も抑制される。
【００４０】
更に、融解した着霜はドレン水となって冷却器１２から滴下するが、冷却器１２下面の仕切板８側から滴下するドレン水は直接ドレン受け３１内に受容される。また、冷却器１２下面の断熱箱体２側から滴下するドレン水は、その下方に対応している案内板４３のドレン案内面４８上に滴下し、そこを伝ってドレン受け３１方向に流下し、冷気流通部４７のドレン受け３１側を通過して落下し、ドレン受け３１内に受容されることになる。
【００４１】
このように、冷却器１２を第１の熱交換体３３と、第２の熱交換体３４と、各熱交換体３３、３４間に挟まれるかたちで設けられた除霜ヒータ３６とから構成し、第１の熱交換体３３を冷気吸込口２０側に配置したので、冷却器１２の除霜時には除霜ヒータ３６により冷却器１２全体を内側から効果的に加熱することができるようになる。また、冷却器１２の冷気吸込口２０側に除霜ヒータを取り付ける従来の方式に比して、冷気吸込口２０から収納室３側に流入する熱も解消若しくは低減されるので、冷却器１２の除霜ヒータ３６による収納室３の温度上昇も防止若しくは抑制することができるようになる。
【００４２】
また、第１及び第２の熱交換体３３、３４を準備し、これらにより除霜ヒータ３６を挟んだかたちで冷却器１２を構成しているので、単体の冷却器内に除霜ヒータを挿通する場合に比して、冷却器１２自体の構造が簡素化され、組立作業性も著しく向上する。
【００４３】
この場合、冷却器１２を構成する各熱交換体３３、３４を、複数枚の熱交換フィン３７と、この熱交換フィン３７を貫通する蛇行状の冷媒配管３８からそれぞれ構成し、各熱交換体３３、３４の熱交換フィン３７、３７間に除霜ヒータ３６を挟んだ状態で両側の管板３２、３２により各熱交換体３３、３４及び除霜ヒータ３６を一体化するようにすれば、冷却器１２の生産性は更に向上する。
【００４４】
特に、実施例の如く断熱箱体２の縦方向の内壁６と間隔を存して設けられた仕切板８と、この仕切板８と断熱箱体２間に構成された冷却室７とを備え、仕切板８の内方を収納室３とし、冷却室７内に冷却器１２を設置し、この冷却器１２の下方における冷却室７内に下部送風機１４を設置すると共に、冷却器１２と対応する位置の仕切板８に冷気吸込口２０を形成し、下部送風機１４に対応する位置の仕切板８に冷気吐出口２２を形成した急速凍結庫Ｒにおいては、除霜ヒータ３６が収納室３に及ぼす悪影響の改善に著しい効果を発揮する。
【００４５】
また、実施例では冷却器１２が断熱箱体２の鉛直方向略中央に位置して設けられ、この冷却器１２の上方における冷却室７内にも上部送風機１３が設けられ、この上部送風機１３に対応する位置の仕切板８にも冷気吐出口２１が形成されているので、収納室３内における冷気の循環性能が著しく向上する。
【００４６】
また、実施例では収納室３の前面が開口しており、この開口が扉にて開閉自在に閉塞されると共に、仕切板８を断熱箱体２の一側の内壁６と間隔を存して設けているので、開口からの冷気の流出を効果的に抑制することができるようになり、収納室３内に蓄冷剤２６を収納し、冷却器１２と熱交換した冷気を収納室３内に循環させることにより、蓄冷剤２６を凍結させる急速凍結庫Ｒにおいては、著しい凍結性能の改善を図ることが可能となる。
【００４７】
尚、実施例では断熱箱体２の一側の縦方向の内壁６と間隔を存して仕切板８を設け、内壁６との間に冷却室７を構成してそこに冷却器１２と送風機１３、１４を配置したが、それに限らず、断熱箱体２の奥側の縦方向の内壁内側に仕切板を設け、収納室３の背部に冷却室を構成するものでも本発明は有効である。
【符号の説明】
【００４８】
Ｒ  急速凍結庫（冷却庫）
２  断熱箱体
３  収納室
５  前面開口
６  内壁（一側）
７  冷却室
８  仕切板
９  内壁（他側）
１０  冷却装置
１２  冷却器
１３、１４  送風機
１５  パネル
１６  機械室
３２  管板
３３、３４  熱交換体
３６  除霜ヒータ
３７  熱交換フィン
３８  冷媒配管
【図１】
2012072980.tif 000003
【図２】
2012072980.tif 000004
【図３】
2012072980.tif 000005
【図４】
2012072980.tif 000006
【図５】
2012072980.tif 000007